(57)【要約】【課題】スロットマシン等の遊技機におけるメダルの補給に際し、係員にとって補給作業がやりやすく、しかも係員がメダルを補給する間、遊技者が遊技機の前から立ち退かずに、遊技を続行することができるスロットマシンを提供する。【解決手段】遊技機１の横側にメダル貸出機２が設けられた遊技設備Ｓにおいて、前記遊技機１と前記メダル貸出機２との上方の幕板２１にあって前記メダル貸出機２の上方部位、または前記メダル貸出機２の本体における上部にメダル補給口３が設けられ、該メダル補給口３に連結した補給シュート８が前記遊技機１の内部に設けられたホッパー６に連結され、該ホッパー６が前記遊技機１の前面下部に設けられたメダル受皿１９に連絡された構成を有する。【選択図】図２
2005270147.tif 000002
【特許請求の範囲】
【請求項１】
遊技機の横側にメダル貸出機が設けられた遊技設備において、前記遊技機と前記メダル貸出機との上方の幕板にあって前記メダル貸出機の上方部位にメダル補給口が設けられ、該メダル補給口に連結した補給シュートが前記遊技機の内部に設けられたホッパーに連結され、該ホッパーが前記遊技機の前面下部に設けられたメダル受皿に連絡されたことを特徴とする遊技設備。
【請求項２】
遊技機の横側にメダル貸出機が設けられた遊技設備において、前記メダル貸出機の本体における上部にメダル補給口が設けられ、該メダル補給口が前記メダル貸出機の内部を経ると共に該メダル貸出機に連結された補給シュートを介して前記遊技機の内部に設けられたホッパーに連絡され、該ホッパーが前記遊技機の前面下部に設けられたメダル受皿に連絡されたことを特徴とする遊技設備。
【請求項３】
遊技機を２台配列した間に1台のメダル貸出機が設けられた遊技設備において、前記メダル貸出機の本体における上部に設けられたメダル補給口が該メダル貸出機の内部を経て該メダル貸出機の後部に設けられたメダル供給部に連絡されると共に、該メダル供給部に設けられた振分ゲートを介して分岐した補給シュートが前記２台の各遊技機の内部に設けられた各ホッパーに連絡され、各ホッパーが各遊技機の前面下部に設けられた夫々のメダル受皿に連絡された構成であって、前記1台のメダル貸出機のメダル補給口に供給されたメダルを前記振分ゲートを切り替えることによって何れかの遊技機のホッパーに供給するようにしたことを特徴とする遊技設備。
【発明の詳細な説明】
【技術分野】
【０００１】
本発明は、スロットマシン等の遊技機の横側にメダル貸出機を備えた遊技設備におけるメダルの補給作業を改善するようにした遊技設備に関するものである。
【背景技術】
【０００２】
従来のスロットマシンは、遊技機本体の前面に開閉自在な前面扉が設けられ、この前面扉にゲームを行うための装置として、メダル投入口、スタートレバー、ストップボタン、各種の表示、さらには各種のボタン類が配備されている。
【０００３】
このようなスロットマシンの使用方法としては、メダル投入口へメダルを投入して、スタートレバーを操作するとゲームが開始され、ストップボタンを押すとゲームが終了する。そして、そのゲーム結果に応じてメダル払出機が作動することにより、規定枚数のメダルがメダル払出口から払い出される。
【０００４】
従って、上記のメダル払出機は、多数枚のメダルを収納するホッパーと、上記のゲーム結果に応じて規定数のメダルを１枚づつ送り出す装置とを備えるものであるが、メダル払出機が遊技機の内部に設けられているため、ホッパーが空になると、係員が前面扉を開いてホッパー内にメダルを補給する作業が必要であった。
【０００５】
ところが、このような構成では、前面扉の開閉操作が面倒であるだけでなく、メダル払出機が遊技機本体の狭い内部にあるため、メダルの補給作業がやりづらく、メダル切れのたびに前面扉を開いてメダルを補給する作業は係員の大きい負担となっていた。
【０００６】
このような問題点を解消するために開発されたものとして、特許文献１に挙げる装置がある。この装置は、メダルの補給に際し、隣の遊技者のゲーム操作に支障を生じさせず、係員にとっても補給作業がやりやすく、さらに補給すべきメダルを予めストックできるようにしたスロットマシンに関するものである。
【０００７】
そのため、特許文献１の装置は、図１１(ａ）、(ｂ）に示すように、ボックス５０内の前面扉５１の上方位置に、前面を開放した空間部５２を形成し、この空間部５２に上面開口のメダル収容箱５３が前面より挿脱可能に配備され、メダル収容箱５３の底面にはメダル補給口５４が開口され、このメダル補給口５４にはシャッター５５が開閉自在に配備された構成を有するものである。また、メダル補給口５４は、ホッパー５６を備えたメダル払出機構５７に連通するメダル供給機構５８のメダル受け口５８ａと対向する位置に設けられている。
【０００８】
また、特許文献２の装置は、メダルを補給する際に、前面扉の開閉操作が容易であり、トラブル発生の要因を少なくし、しかも補給すべきメダルを予めストックできるようにしたスロットマシンに関するものである。
【０００９】
そのため、特許文献２の装置は、図１２に示すように、第１、第２の各空間部６１、６２が上下に設けられた前面開口のボックス６３と、該ボックス６３の第１、第２の各空間部６１、６２を前面より塞ぐ開閉可能な第１、第２の前面扉６４、６５と、第１の空間部６１に収納配備されたメダル補給機６６と、第２の空間部６２に収納配備されたメダル払出機６７と、メダル補給機６６を作動させるスイッチ６８を備え、メダル補給機６６は、多数枚のメダルを収容することが可能なホッパー６９と、駆動源を有しホッパー６９内のメダルをメダル繰出装置より1枚ずつ繰り出すメダル繰出装置７０とから成り、メダル補給機６６のメダル繰出装置７０とメダル払出機６８との間には、第１、第２の各空間部６１、６２を通過するメダル通路（通路部材７２）が形成されてなるものである。
【特許文献１】特開平７−２２２８４５号公報
【特許文献２】特開平７−２２７４５９号公報
【発明の開示】
【発明が解決しようとする課題】
【００１０】
ところが、特許文献１の構成は、上記のように、メダル収容箱５３がボックス５０内の前面扉５１の上方位置に形成された空間部５２に設けられたものであるため、係員がメダルを補給する間、遊技者は遊技機の前から立ち退く必要があり、このため、遊技が中断するという不都合が生じる。
【００１１】
また、特許文献２の構成は、ボックス６３内にメダル補給機６４が収納配備された第１の空間部６１と、メダル払出機７１が収納配備された第２の各空間６２とが上下に設けられた前面開口のボックス６３を有し、このボックス６３の第１、第２の各空間部６１、６２の前面を塞ぐ第１、第２の前面扉６４、６５が開閉可能に設けられている。
【００１２】
従って、特許文献２の構成においても、係員がメダルを補給する作業は、ボックス６３の前方に立って作業をすることとなり、このように係員がメダルを補給する間、遊技者は、遊技機の前から立ち退かなければならないため、遊技が中断し、その都度、遊技者に不快な思いをさせるという問題があった。
【００１３】
本発明は、上記の事情に鑑みてなされたもので、スロットマシン等の遊技機におけるメダルの補給に際し、係員にとって補給作業がやりやすく、しかも係員がメダルを補給する間、遊技者が遊技機の前から立ち退かずに、遊技を続行することができる遊技設備を提供することを目的とする。
【課題を解決するための手段】
【００１４】
上記の問題を解決するために、本発明の請求項１の遊技設備は、遊技機の横側にメダル貸出機が設けられた遊技設備において、前記遊技機と前記メダル貸出機との上方の幕板にあって前記メダル貸出機の上方部位にメダル補給口が設けられ、該メダル補給口に連結した補給シュートが前記遊技機の内部に設けられたホッパーに連結され、該ホッパーが前記遊技機の前面下部に設けられたメダル受皿に連絡されたことを特徴とする。
【００１５】
また、本発明の請求項２の遊技設備は、遊技機の横側にメダル貸出機が設けられた遊技設備において、前記メダル貸出機の本体における上部にメダル補給口が設けられ、該メダル補給口が前記メダル貸出機の内部を経ると共に該メダル貸出機に連結された補給シュートを介して前記遊技機の内部に設けられたホッパーに連絡され、該ホッパーが前記遊技機の前面下部に設けられたメダル受皿に連絡されたことを特徴とする。
【００１６】
さらに、本発明の請求項３の遊技設備は、遊技機を２台配列した間に1台のメダル貸出機が設けられた遊技設備において、前記メダル貸出機の本体における上部に設けられたメダル補給口が該メダル貸出機の内部を経て該メダル貸出機の後部に設けられたメダル供給部に連絡されると共に、該メダル供給部に設けられた振分ゲートを介して分岐した補給シュートが前記２台の各遊技機の内部に設けられた各ホッパーに連絡され、各ホッパーが各遊技機の前面下部に設けられた夫々のメダル受皿に連絡された構成であって、前記1台のメダル貸出機のメダル補給口に供給されたメダルを前記振分ゲートを切り替えることによって何れかの遊技機のホッパーに供給するようにしたことを特徴とする。
【発明の効果】
【００１７】
上記のように構成された本発明の遊技設備は、遊技機の横側にメダル貸出機が設けられ、このメダル貸出機の上方の幕板にあってメダル貸出機の上方部位又はメダル貸出機の本体における上部にメダル補給口が設けられたものであるため、係員は、遊技機に向かっている遊技者の横側に立って、メダル補給口にメダルを供給することができる。
【００１８】
従って、係員は、遊技機の前面扉を開く必要がないため、遊技者の遊技の邪魔になることもなく、容易にメダルの補給をすることができる。また、遊技者は、係員がメダルを供給している時でも、遊技機の前から立ち退いたり、遊技を中断する必要がなく、遊技を続行することができる。
【発明を実施するための最良の形態】
【００１９】
以下、本発明の実施例について図面を参照しながら説明する。
【００２０】
図１は、遊技機１の横側にメダル貸出機２が設けられた遊技設備Ｓを複数配列することによって遊技島を構成したものである。この図において、遊技機１の具体的としてスロットマシンを図示してある。本発明は、このような遊技機１とメダル貸出機２を有する遊技設備Ｓにメダル補給口３を設けたものであり、図１の遊技設備Ｓは、後述する図５又は図８に類似するタイプのものであって、メダル貸出機２の本体における上部にメダル補給口３が設けられたものである。また、図２のタイプの遊技設備Ｓ、即ち遊技機１とメダル貸出機２との上方の幕板２１にあってメダル貸出機２の上方部位にメダル補給口３が設けられたものを、図１のように複数配列することによって、遊技島を構成するようにしてもよい。
【００２１】
なお、図１において、天板２４には呼出ランプ１１が設けられ、遊技機１の最上部にはボーナス表示ランプ１２及び入賞図柄表示１３が設けられ、さらにその下方には台パネル１４における種々の表示があり、台パネル１４の下部にはスタートレバー１５、ストップボタン１６、メダル投入口１７等が設けられ、さらにその下方にはメダル払出口１８が設けられ、その下部にはメダル受皿１９が設けられている。
【００２２】
また、メダル貸出機２の上方には紙幣挿入口４が設けられ、その下方であって、メダル貸出機２の本体における上部にメダル補給口３が設けられている。さらにその下方に、例えばプリペイドカード（磁気式カード、ＩＣカード等）によってメダルを借り受けるためのカード挿入口５が設けられている。
【００２３】
このような構成においては、メダル貸出機２の本体における上部にメダル補給口３が設けられた構成とされているため、係員は遊技機１に向かっている遊技者の横側に立って、上記のメダル補給口３にメダルを供給することができる。
【実施例１】
【００２４】
本実施例の遊技設備は、図２、３又は４に示すように、遊技機１とメダル貸出機２との上方の幕板２１にあってメダル貸出機２の上方部位にメダル補給口３が設けられ、該メダル貸出機２が遊技機１の内部に設けられたホッパー６（図4参照）に連結されると共に、該ホッパー６が遊技機１の前面下部に設けられたメダル受皿１９に連絡されて成るメダルの払出経路を構成してあり、このメダルの払出経路がメダル貸出機２からのメダルの貸出経路から独立した構成とされている。
【００２５】
このような構成についてより詳細に述べると、図２に示すように、遊技機１の横側にはメダル貸出機２が隣設して設けられ、このように並設された遊技機１とメダル貸出機２とが支持台２０上に固定されている。また、並設された遊技機１とメダル貸出機２との上方の幕板２１にあってメダル貸出機２の上方部位には、メダル補給口３が設けられている。このメダル補給口３は、幕板２１の前面に形成された投入口２２を有し、該投入口２２の後部、又は真下には箱形状のメダル供給部２３が設けられている。
【００２６】
また、図３に示すように、上記の幕板２１の後側であってメダル供給部２３の下部に補給シュート８の上端が連結されている。この補給シュート８は、遊技機１の後部形状に沿って屈曲しつつ該遊技機１の後側にて垂下した形状を有し、該補給シュート８の下端が遊技機１の後面下部に固設されたシュート受部２５に連結されている。
【００２７】
このシュート受部２５は、遊技機１の内部に設けられたホッパー６（図４参照）に連絡されている。このホッパー６は既設のものであり、既設のホッパー６と同様に、図２に示す遊技機１の前面下部に設けられたメダル受皿１９に連絡されている。なお、メダル受皿１９の上方近傍にはメダル払出口１８（図１参照）が形成され、ホッパー６はメダル払出口１８を介してメダル受皿１９と連絡された構成を有する。
【００２８】
上記の構成においては、遊技者のゲーム結果により、ホッパー６に送られた信号によってホッパー６に蓄積されたメダルから規定枚数のメダルが繰出され、メダル受皿１９に送出される。従って、本実施例において、メダル補給口３から供給されたメダルは、メダル貸出機２とは別経路で補給シュート８を経てホッパー６に至るものであり、該ホッパー６に蓄積されたメダルは、ゲーム結果に応じたメダルの払い出しに提供される。
【００２９】
一方、メダル貸出機２は、周知の構成を有するもので、図２に示すように、前面上方に紙幣挿入口４が設けられ、前面下部にメダル払出シュート２６が設けられ、該メダル払出シュート２６はそのシュート部の形状をメダル受皿１９の上方へ屈曲してある。メダル貸出機２の内部構造は図示を省略してあるが、メダル蓄積部を有し、紙幣の挿入によって、メダル蓄積部から規定枚数のメダルがメダル払出シュート２６を経てメダル受皿１９へ送出される構造を有する。
【００３０】
以上のように、本実施例のメダル補給口３から補給シュート８を介してホッパー６に至り、遊戯者のゲーム結果に応じてメダルをメダル受皿１９に送出するメダル払出経路は、メダル貸出機２のメダル貸出経路から独立したものである。
【００３１】
このような構成の遊技設備において、メダル補給口３が、遊技機１とメダル貸出機２との上方の幕板２１にあってメダル貸出機２の上方部位に設けられているため、係員は、遊技機１の台パネル１４を開くことなく、遊技機１に向かっている遊技者の横側に立って、メダル貸出機２の上部のメダル補給口３にメダルを供給することができる。一方、遊技者は、係員がメダルを供給している時でも、遊技機１の前から立ち退いたり、遊技を中断する必要がない。
【実施例２】
【００３２】
本実施例は、遊技設備のメダル貸出機２の上部に設けられたメダル補給口３から供給したメダルのメダル払出経路がメダル貸出機２の内部を経るものであるが、メダル貸出機２の内部で貯留されることなく直流式にホッパー６に至るようにしたものである。
【００３３】
即ち、本実施例の遊技設備は、図５、６又は７に示すように、メダル貸出機２の上部に設けられたメダル補給口３が該メダル貸出機２の内部を経て該メダル貸出機２の後部に設けられたメダル供給部２３に連絡され、該メダル供給部２３に連結された補給シュート８を介して遊技機１の内部に設けられたホッパー６に連絡されると共に、該ホッパー６が遊技機１の前面下部に設けられたメダル受皿１９に連絡された構成により、メダル補給口３に供給されたメダルがメダル貸出機２の内部を経て、直流式に補給シュート８を介してホッパー６に至るようにしたものである。
【００３４】
このような構成について、より詳細に述べると、図５(ａ）に示すように、遊技機１であるスロットマシンの横側にはメダル貸出機２が隣設され、このように並設された遊技機１とメダル貸出機２は支持台２０上に固定されている。また、並設された遊技機１とメダル貸出機２の上方の天板２１には呼出ランプ１１が固設され、さらにこの天板２１にあってメダル貸出機２の上方部位には、紙幣挿入口４が設けられている。このメダル貸出機２は、カード式メダル貸出機２であって、その前面途中には、プリペイドカードによってメダルを借り受けるためのカード挿入口５が形成されている。
【００３５】
このような本実施例において、メダル補給口３は、メダル貸出機２の上部に一体的に設けられ、メダル貸出機２の前面に形成された投入口２２を有し、該投入口２２の後部には投入口受部２７が設けられている。この投入口受部２７は、メダル貸出機２の内部の上方に位置して設けられ、その下方にはメダル貸出機２の内部をなすメダル蓄積部２９が形成されている。
【００３６】
また、図５(ｂ）、（ｃ）に示すように、メダル蓄積部２９の下部には、メダル貸出機２の内部にて後方へ下り勾配を有する傾斜状案内板３１が設けられ、さらにこの案内板３１の後部には、さらに後方へ下り勾配を有する傾斜板３２が設けられ、該傾斜板３２の後部はメダル貸出機２の後壁の開口部２８に連通されている。また、この開口部２８の後方外側には箱形状の外装を成すメダル供給部２３が設けられている。
【００３７】
さらに、メダル供給部２３の下部には補給シュート８の上端が連結され、該補給シュート８は、図６に示すように、屈曲しつつ、該補給シュート８の下端が遊技機１の後面下部に固設されたシュート受部２５に連結されている。このシュート受部２５は、遊技機１の内部に設けられたホッパー６（図７参照）に連絡されている。このホッパー６は、既設のホッパー６と同様に、遊技機１の前面下部に設けられたメダル払出口１８を介してメダル受皿１９に連絡されている。
【００３８】
上記のように、メダル補給口３から供給されたメダルは、メダル貸出機２の内部のメダル蓄積部２９を通過するものであり、ゲーム結果に応じて払い出されるメダルと、メダル貸出機２から貸し出されるメダルとが、共通したメダル蓄積部２９からホッパー６を経て、メダル受皿１９に送り出される構成とされている。
【００３９】
このような構成の遊技設備においても、実施例１と同様に、メダル補給口３は、遊技機１の横側のメダル貸出機２の上部に設けられているため、係員は、遊技機１の台パネル１４を開くことなく、遊技機１に向かっている遊技者の横側に立って、メダル貸出機２の上部のメダル補給口３にメダルを供給することができる。一方、遊技者は、係員がメダルを供給している時でも、遊技機１の前から立ち退いたり、遊技を中断する必要がない。
【実施例３】
【００４０】
本実施例は、遊技設備のメダル貸出機２の上部に設けられたメダル補給口３から供給したメダルのメダル払出経路がメダル貸出機２の内部を経るものであるが、メダルをメダル貸出機２の内部にいったん貯留し、ゲーム結果によるメダルを要求する信号により、この貯留を開放することによってホッパー６に至るようにしたものである。
【００４１】
即ち、本実施例の遊技設備は、図８（ａ）に示すように、メダル貸出機２の上部に設けられたメダル補給口３が該メダル貸出機２の内部のメダル蓄積部２９を経て、該メダル貸出機２の後部に設けられたメダル供給部２３に連絡され、該メダル供給部２３に連結された補給シュート８を介して遊技機１の内部に設けられたホッパー６に連絡されると共に、該ホッパー６が遊技機１の前面下部に設けられたメダル受皿１９に連絡された構成を有する。
【００４２】
また、メダル貸出機２の内部にてメダル供給部２３に至る前位置にモータ３６の駆動による開閉式のシャッター３５が設けられ、メダルを要求する信号によってモータ３６が駆動されることによってシャッター３５が開放されることにより、メダル補給口３から供給されたメダルがメダル貸出機２のメダル供給部２３を経てホッパー６に至るようにしたものである。このように、本実施例の構成は、メダルをメダル貸出機２の内部に一旦貯留する構成を有するものである。
【００４３】
その構成として、メダル貸出機２のメダル蓄積部は、図８（ｂ），（ｃ）に示すように、メダル貸出機２の内部にて後方へ下り勾配を有する傾斜状案内板３１を有する。さらに、この案内板３１の後部には、前後方向に開閉するシャッター３５を介して、さらに後方へ下り勾配を有する傾斜板３２が形成されている。このシャッター３５は、電動モータ３６によって前後方向に開閉する動作を有する。
【００４４】
また、上記の傾斜板３２の後部はメダル貸出機２の後方のメダル供給部２３に連通され、それ以降の流通経路は、実施例２の構成と同様に、メダル供給部２３、補給シュート８、シュート受部２５を経てホッパー６に至り、さらにメダル払出口１８を経てメダル受皿１９に送出される経路を構成する。
【００４５】
このような遊技設備においても、実施例１、２と同様に、メダル補給口３は、遊技機１の横側のメダル貸出機２の上部に設けられているため、係員は、遊技機１の台パネル１４を開くことなく、スロットマシンに向かっている遊技者の横側に立って、メダル貸出機２の上部のメダル補給口３にメダルを供給することができる。一方、遊技者は、係員がメダルを供給している時でも、遊技機１の前から立ち退いたり、遊技を中断する必要がない。
【００４６】
なお、この実施例３は、後述する実施例4に有効である。即ち、図１０の振分ゲート３７と連動して動作することにより、確実に要求信号のあった方の遊技機１にメダルを供給することができる。
【実施例４】
【００４７】
本実施例の遊技設備は、遊技機１を２台配列した間に1台のメダル貸出機２を設けたものである。この場合、図９又は１０に示すように、メダル貸出機２の上部に設けられたメダル補給口３が該メダル貸出機２の内部を経て該メダル貸出機２の後部に設けられたメダル供給部２３に連絡されている。
【００４８】
また、図１０に示すように、メダル供給部２３に設けられた振分ゲート３７は、左右の遊技機１の内部に設けられたホッパー６におけるメダルの蓄積量に応じて指令される信号によって、振分ゲート３７が切り替えられる。そして、この振分ゲート３７の下部に分岐した補給シュート８、８が、左右の遊技機１の後側下部に設けられたシュート受部２５、２５を介して各遊技機１の内部のホッパー（不図示）に連絡され、さらに各ホッパーが各遊技機１、１の前面下部に設けられたそれぞれのメダル受皿１９、１９に連絡された構成とされている。
【００４９】
このような構成により、1台のメダル貸出機２のメダル補給口３に供給されたメダルを振分ゲート３７を切り替えることによって何れかの遊技機１のホッパー６に供給することができる。
【００５０】
このように、遊技機１を２台配列した間に1台のメダル貸出機２を設けた遊技設備においても、上記の実施例と同様に、メダル補給口３は、遊技機１の横側のメダル貸出機２の上部に設けられているため、係員は、遊技機１に向かっている遊技者の横側に立って、メダル貸出機２の上部のメダル補給口３にメダルを供給することができる。一方、遊技者は、係員がメダルを供給している時でも、遊技機１の前から立ち退いたり、遊技を中断する必要がない。
【産業上の利用可能性】
【００５１】
本発明は、スロットマシン等の遊技機のメダルの補給に際し、係員が遊技者の横側に立ってメダルの供給をすることができるようにしたものであり、遊技機に向かっている遊技者が遊技機の前から立ち退かずに、遊技を続行することができ、また係員にとって補給作業を容易に行うことができる遊技設備として利用することができる。
【図面の簡単な説明】
【００５２】
【図１】本発明による複数の遊技設備が設置された遊技島の正面図である。
【図２】本発明の実施例１における遊技設備の遊技機とメダル貸出機を示す斜視図である。
【図３】図２の背面図である。
【図４】図２の背面図であり、遊技機の内部のホッパーを示す図である。
【図５】(ａ）は本発明の実施例２における遊技設備の遊技機とメダル貸出機を示す斜視図であり、(ｂ）はメダル貸出機の内部を示す拡大図、（ｃ）はその内部の側面図である。
【図６】図５の背面図である。
【図７】図５の背面図であり、遊技機の内部のホッパーを示す図である。
【図８】(ａ）は本発明の実施例３における遊技設備の遊技機とメダル貸出機を示す斜視図であり、(ｂ）はメダル貸出機の内部を示す拡大図、（ｃ）はその内部の側面図である。
【図９】本発明の実施例４における遊技設備の斜視図である。
【図１０】図９の背面図である。
【図１１】(ａ）は従来技術に係る特許文献１の装置の正面図であり、(ｂ）は内部を示す側面図である。
【図１２】従来技術に係る特許文献２の装置の正面図である。
【符号の説明】
【００５３】
１…遊技機
２…メダル貸出機
３…メダル補給口
４…紙幣挿入口
５…カード挿入口
６…ホッパー
８…補給シュート
１１…呼出ランプ
１２…ボーナス表示ランプ
１３…入賞図柄表示
１４…台パネル
１５…スタートレバー
１６…ストップボタン
１７…メダル投入口
１８…メダル払出口
１９…メダル受皿
２０…支持台
２１…幕板
２２…投入口
２３…メダル供給部
２４…天板
２５…シュート受部
２６…メダル払出シュート
２７…投入口受部
２８…開口部
３１…傾斜状案内板
３２…傾斜板
３４…開口部
３５…シャッター
３６…モータ
３７…振分ゲート
Ｓ…遊技設備
【図１】
2005270147.tif 000003
【図２】
2005270147.tif 000004
【図３】
2005270147.tif 000005
【図４】
2005270147.tif 000006
【図５】
2005270147.tif 000007
【図６】
2005270147.tif 000008
【図７】
2005270147.tif 000009
【図８】
2005270147.tif 000010
【図９】
2005270147.tif 000011
【図１０】
2005270147.tif 000012
【図１１】
2005270147.tif 000013
【図１２】
2005270147.tif 000014